(57)【要約】【課題】電気コネクタの低背化を図りつつ信号伝送媒体に対する接触圧を高めることを可能とする。【解決手段】コンタクト部材１３を構成している第１及び第２ビーム１３ａ，１３ｂのうちの一方の第１ビーム１３ａに設けた第１接触部１３ａ１を、信号伝送媒体Ｆの挿入方向における手前の前方位置に弾性変位が小さい状態で配置した第１前方接触部１３ａ１１と、挿入方向における奥の後方位置に配置した弾性変位可能な第１後方接触部１３ａ１２とから構成するとともに、他方の第２ビーム１３ｂに設けた第２接触部１３ｂ１を信号伝送媒体Ｆの挿入方向において単独の状態で弾性変位可能に構成することにより、コンタクト部材１３の構成を簡素化しつつ、第２ビーム１３ｂを介して付与される接触圧を単独の第２接触部１３ｂ２に集中させる構成としたものである。【選択図】図１２
2019197629.tif 000002
【特許請求の範囲】
【請求項１】
コンタクト部材を構成する第１ビームと第２ビームとが互いに対向する状態に配置され、それらの第１ビームと第２ビームとの対向領域に、帯状に延在する平板状の信号伝送媒体が前方から後方に向かって挿入される構成を備えたものであって、
前記第１ビームと前記第２ビームとの対向領域に前記信号伝送媒体が挿入された状態において、前記第１ビーム及び前記第２ビームのうちの少なくとも一方が、カム部材の作用で弾性的に変位されることにより、前記第１ビーム及び前記第２ビームの各々に設けられた第１接触部及び第２接触部が、前記信号伝送媒体に圧接される構成を備えた電気コネクタにおいて、
前記第１接触部は、前記信号伝送媒体の挿入方向における手前である前方位置及び奥である後方位置にそれぞれ設けられた第１前方接触部及び第１後方接触部から構成され、かつ、
前記第２接触部が、前記信号伝送媒体の挿入方向において単独の状態で配置されたものであって、
前記第１後方接触部及び前記第２接触部が、前記カム部材の作用で弾性変位する構成を備えているとともに、
前記第１前方接触部は、前記第１後方接触部、及び前記第２接触部よりも、前記カム部材の作用に対する変位が小さい構成を備えていることを特徴とする電気コネクタ。
【請求項２】
前記第２接触部が、前記信号伝送媒体の挿入方向において、前記第１接触部を構成している前記第１前方接触部と前記第１後方接触部との間部分に配置されていることを特徴とする請求項１記載の電気コネクタ。
【請求項３】
前記第２接触部及び前記第１接触部は、前記信号伝送媒体が挿入される際に、当該信号伝送媒体の表面に接触する構成になされていることを特徴とする請求項１記載の電気コネクタ。
【請求項４】
前記第２接触部、並びに前記第１接触部の第１前方接触部及び第１後方接触部は、前記信号伝送媒体に対して尖塔状をなして突出していることを特徴とする請求項１記載の電気コネクタ。
【請求項５】
前記第１ビームが、配線基板に設けられた導電路に接続される基板接続部を備えたものであって、
前記基板接続部は、前記信号伝送媒体の挿入方向において、前記第１ビームの後方部分に配置されていることを特徴とする請求項１記載の電気コネクタ。
【請求項６】
前記信号伝送媒体が、前記第１ビームに接触する導電路を備えていることを特徴とする請求項１記載の電気コネクタ。
【請求項７】
前記第２接触部、並びに前記第１接触部の第１前方接触部及び第１後方接触部のうちの少なくとも一つは、前記信号伝送媒体に接触する接点を１箇所以上有していることを特徴とする請求項１記載の電気コネクタ。
【請求項８】
前記第１接触部の第１前方接触部に対して前記第１後方接触部は、前記第２接触部に近接して配置されていることを特徴とする請求項１記載の電気コネクタ。
【発明の詳細な説明】
【技術分野】
【０００１】
本発明は、電気コネクタに関する。
【背景技術】
【０００２】
種々の電気機器等において、信号の伝送に用いられるフレキシブル・プリンテッド・サーキット（ＦＰＣ）や、フレキシブル・フラット・ケーブル（ＦＦＣ）等からなる平板状の信号伝送媒体（フレキシブル配線基板）は、例えば、配線基板上に実装された電気コネクタに挿入されて使用される。電気コネクタの内部には、上下に対向する状態で取り付けられた第１ビーム及び第２ビームを備えた導電性のコンタクト部材が配置されており、当該コンタクト部材の各ビームごとに一箇所ずつ設けられた接触部が、電気コネクタの内部に挿入された平板状の信号伝送媒体（ＦＰＣやＦＦＣ等）に圧接状態となることによって、平板状の信号伝送媒体が、コンタクト部材を通して配線基板に電気的に接続される構成になされている。
【０００３】
ここで、上述したように平板状の信号伝送媒体（ＦＰＣやＦＦＣ等）の導電路に接触状態になされた各コンタクト部材の接触部は、いわゆる煽り等によって信号伝送媒体が変位した場合であっても、接触状態を良好に維持することが求められる。そのため従来から、コンタクト部材の一対のビームに対してそれぞれ二箇所の接触部を設け、煽り等に基づく信号伝送媒体の変位に対してコンタクト部材が追従するように変位して良好な接触状態を維持する機能（接触追従性）を向上させることが行われている。
【０００４】
しかしながら、上述したようにコンタクト部材において、一対のビームに対してそれぞれ二箇所の接触部を設けるためには、コンタクト部材のビームを二股状に分岐させる構成が必要になるなど、コンタクト部材の構造が複雑化してしまうことから、電気コネクタの配線基板からの高さが増大する傾向を生じる。その結果、近年の電気コネクタにおける低背化の要請に対応できなくなるおそれがあるとともに、コンタクト部材の弾性力が、二箇所の接触部に分散することから、信号伝送媒体に対する接触圧が低下し、電気的な接続性に問題を生じるおそれもある。
【先行技術文献】
【特許文献】
【０００５】
【特許文献１】特開２０１８−２２５６７号公報
【発明の開示】
【発明が解決しようとする課題】
【０００６】
そこで本発明は、低背化を図りつつ信号伝送媒体に対する接触圧を高めることができるようにした電気コネクタを提供することを目的とする。
【課題を解決するための手段】
【０００７】
上記目的を達成するため請求項１にかかる発明では、コンタクト部材を構成する第１ビームと第２ビームとが互いに対向する状態に配置され、それらの第１ビームと第２ビームとの対向領域に、帯状に延在する平板状の信号伝送媒体が前方から後方に向かって挿入される構成を備えたものであって、前記第１ビームと前記第２ビームとの対向領域に前記信号伝送媒体が挿入された状態において、前記第１ビーム及び前記第２ビームのうちの少なくとも一方が、カム部材の作用で弾性的に変位されることにより、前記第１ビーム及び前記第２ビームの各々に設けられた第１接触部及び第２接触部が、前記信号伝送媒体に圧接される構成を備えた電気コネクタにおいて、前記第１接触部は、前記信号伝送媒体の挿入方向における手前である前方位置及び奥である後方位置にそれぞれ設けられた第１前方接触部及び第１後方接触部から構成され、かつ、前記第２接触部が、前記信号伝送媒体の挿入方向において単独の状態で配置されたものであって、前記第１後方接触部及び前記第２接触部が、前記カム部材の作用で弾性変位する構成を備えているとともに、前記第１前方接触部は、前記第１後方接触部、及び前記第２接触部よりも、前記カム部材の作用に対する変位が小さい構成を備えている。
【０００８】
このような構成を有する本発明によれば、第２ビームに弾性変位可能に設けられた第２接触部が、単独の状態で配置されていることから、複数の接触部を設けた従来の構成に対してコンタクト部材の構成が簡素化され、電気コネクタの低背化が図られるとともに、第２ビームを介して第２接触部に付与される接触圧が、単独の第２接触部に集中することから、信号伝送媒体に対する接触圧が高められる。
【０００９】
このとき、請求項２にかかる発明のように、前記第２接触部が、前記信号伝送媒体の挿入方向において、前記第１接触部を構成している前記第１前方接触部と前記第１後方接触部との間部分に配置されていることが望ましい。
【００１０】
このような構成を有する本発明によれば、信号伝送媒体に対する第２接触部の接触圧が、第１接触部を構成している第１前方接触部と第１後方接触部との双方にバランス良く伝達され、これらの第２接触部、第１前方接触部及び第１後方接触部によって、信号伝送媒体が良好な挟持状態に維持される。
【００１１】
また、請求項３にかかる発明のように、前記第２接触部及び前記第１接触部は、前記信号伝送媒体が挿入される際に、当該信号伝送媒体の表面に接触する構成になされていることが望ましい。
【００１２】
このような構成を有する本発明によれば、カムの作用に対する変位が、第１後方接触部及び第２接触部より小さい第１接触部の第１前方接触部によって、信号伝送媒体に対する接触圧が高められるとともに、信号伝送媒体の導電路に対する、いわゆるワイピングによる清掃作用が良好に得られる。
【００１３】
このとき、請求項４にかかる発明のように、前記第２接触部、並びに前記第１接触部の第１前方接触部及び第１後方接触部は、前記信号伝送媒体に対して尖塔状をなして突出していることが望ましい。
【００１４】
このような構成を有する本発明によれば、信号伝送媒体の導電路に対して各接触部が食い込み状態となり、特に高温時における電気的な接続性、及び第１接触部の第１前方接触部によって、いわゆるワイピングによる清掃作用が特に良好に得られる。
【００１５】
このとき、請求項５にかかる発明のように、前記第１ビームが、配線基板に設けられた導電路に接続される基板接続部を備えたものであって、前記基板接続部は、前記信号伝送媒体の挿入方向において、前記第１ビームの後方部分に配置されていることが望ましい。
【００１６】
このような構成を有する本発明によれば、第１ビームの後方部分が基板接続部を介して配線基板に固定状態になされることから、当該第１ビームの前方部分における弾性が確保され、信号伝送媒体に対する第２接触部及び第１接触部の接触追従性、すなわち煽り等に基づく信号伝送媒体の変位に対してコンタクト部材が追従するように変位して良好な接触状態を維持する機能が更に高められる。
【００１７】
このとき、請求項６にかかる発明のように、前記信号伝送媒体が、前記第１ビームに接触する導電路を備えていることが望ましい。
【００１８】
このような構成を有する本発明によれば、第１ビームを通して電気的な接続が良好に行われる。
【００１９】
さらに、請求項７にかかる発明のように、前記第２接触部、並びに前記第１接触部の第１前方接触部及び第１後方接触部のうちの少なくとも一つは、前記信号伝送媒体に接触する接点を１箇所以上有していることが望ましい。
【００２０】
このような構成を有する本発明によれば、各接触部を通した電気的な接続が良好に行われる。
【００２１】
このとき、請求項８にかかる発明のように、前記第１接触部の第１前方接触部に対して前記第１後方接触部は、前記第２接触部に近接して配置されていることが望ましい。
【００２２】
このような構成を有する本発明によれば、第１後方接触部が、信号伝送媒体に対して確実に接触することとなり、信号伝送媒体が、いわゆる煽り状態になされた際に、当該信号伝送媒体の変位に対してコンタクト部材が追従しながら変位して良好な接触状態を維持する機能である接触追従性が高められる。
【発明の効果】
【００２３】
以上述べたように本発明は、コンタクト部材を構成する一方の第１ビームに設けた第１接触部を、信号伝送媒体の挿入方向における手前の前方位置に変位が小さい状態で配置した第１前方接触部と、後方位置に配置した第１後方接触部とから構成するとともに、他方の第２ビームに設けた第２接触部を信号伝送媒体の挿入方向において単独の状態で構成することにより、コンタクト部材の構成を簡素化しつつ、第２ビームを介して付与される接触圧を単独の第２接触部に集中させる構成としたものであるから、電気コネクタの低背化を図りつつ信号伝送媒体に対する接触圧を高めることができる。
【図面の簡単な説明】
【００２４】
【図１】本発明の一実施形態にかかる電気コネクタの単体を表したものであって、アクチュエータが初期位置である「待機位置」における全体構成を前方側上方から表した外観斜視説明図である。
【図２】図１に示された初期状態における電気コネクタを表した平面説明図である。
【図３】図１及び図２に示された初期状態における電気コネクタを表した正面説明図である。
【図４】図１〜図３に示された初期状態における電気コネクタを表した側面説明図である。
【図５】図１〜図４に示された電気コネクタのコンタクト部材が配置されている部位を拡大して表した断面説明図である。
【図６】図１〜図５に示された電気コネクタに使用されているコンタクト部材を拡大して表した外観斜視説明図である。
【図７】図６に示されたコンタクト部材の側面説明図である。
【図８】図５に示された初期状態の電気コネクタに対して平板状の信号伝送媒体（ＦＰＣ又はＦＦＣ等）をハウジングの差込口に挿入した状態を表した図５相当の断面説明図である。
【図９】図８に示された状態から平板状の信号伝送媒体（ＦＰＣ又はＦＦＣ等）を更に差し込んでコンタクト部材の接触部に当接させた状態を表した図５相当の断面説明図である。
【図１０】図９に示された状態から平板状の信号伝送媒体（ＦＰＣ又はＦＦＣ等）を更に差し込んで挿入を完了した状態を表した図５相当の断面説明図である。
【図１１】図１０に示された状態からアクチュエータを作用位置まで回動操作した状態における図５相当の断面説明図である。
【図１２】図１１に示された状態において平板状の信号伝送媒体（ＦＰＣ又はＦＦＣ等）の後方部分を上方に持ち上げた、いわゆる煽り状態を表した図５相当の断面説明図である。
【発明を実施するための形態】
【００２５】
以下において、フレキシブル・プリンテッド・サーキット（ＦＰＣ）や、フレキシブル・フラット・ケーブル（ＦＦＣ）等からなる平板状の信号伝送媒体（以下、単に「信号伝送媒体」という。）ＰＳが挿入される本発明の一実施形態にかかる電気コネクタを図面に基づいて詳細に説明する。
【００２６】
［全体構成について］
図１〜図５に示されている本発明の一実施形態にかかる電気コネクタ１０は、絶縁性部材からなるハウジング１１の前端部分（図５の左端部分）に設けられた差込口１１ａから、信号伝送媒体（ＦＰＣ又はＦＦＣ等）ＰＳが内部に挿入される、いわゆるバックフリップ構造の電気コネクタからなるものである。細長状に延在する中空枠体状の絶縁性部材から形成されているハウジング１１の後端部分には、接続操作手段としてのアクチュエータ１２が取り付けられている。
【００２７】
すなわち、上述したアクチュエータ１２は、ハウジング１１の差込口１１ａが設けられている前端部分に対して信号伝送媒体（ＦＰＣ又はＦＦＣ等）ＰＳの挿入方向における反対側に位置している後端部分（図５の右端部分）に配置されており、図１〜図５に示されている初期状態から、図１１及び図１２に示されているように、信号伝送媒体（ＦＰＣ又はＦＦＣ等）ＰＳの挿入方向（図５の右方向）に向かって押し倒された状態まで回動される構成になされている。
【００２８】
ここで、ハウジング１１における長手方向（後述するコンタクト部材の配列方向）を、以下において「コネクタ長手方向」と呼ぶこととし、信号伝送媒体（ＦＰＣ又はＦＦＣ等）ＰＳの端末部分は、「コネクタ前方」から「コネクタ後方」に向かって挿入されるものとする。また、当該信号伝送媒体（ＦＰＣ又はＦＦＣ等）ＰＳの挿入方向を「媒体挿入方向」と呼ぶこととし、その「媒体挿入方向」における手前の位置を「前方位置」、「媒体挿入方向」における奥の位置を「後方位置」とする。
【００２９】
さらに、信号伝送媒体（ＦＰＣ又はＦＦＣ等）ＰＳは、その「幅方向」を「コネクタ長手方向」に合わせた状態でハウジング１１への挿入が行われるが、当該信号伝送媒体（ＦＰＣ又はＦＦＣ等）ＰＳの端末部分は、「コネクタ後方」から「コネクタ前方」に向かって抜去されるものとし、当該信号伝送媒体（ＦＰＣ又はＦＦＣ等）ＰＳの抜去方向を「媒体抜去方向」と呼ぶこととする。
【００３０】
一方、本実施形態にかかる電気コネクタ１０は、図示を省略した配線基板の主面上に実装された状態で使用されるが、当該配線基板における主面の延在方向を「水平方向」とし、その配線基板の主面に対して垂直に離れる方向を「高さ方向」の「上方向」、配線基板の主面に向かって垂直に近付く方向を「高さ方向」の「下方向」とする。
【００３１】
なお、本実施形態にかかる電気コネクタ１０は、「コネクタ長手方向」において左右対称の構造を有するものであるが、左右対称の配置関係になされた同一の構成部材については、同一の符号を付して片側の構成部材についての説明を行うこととする。
【００３２】
上述したハウジング１１の差込口１１ａは、信号伝送媒体（ＦＰＣ又はＦＦＣ等）ＰＳの端末部分より一回り大きな開口形状を構成するように「コネクタ長手方向」に沿って細長状に延在しており、その細長状の開口形状を有する差込口１１ａが、「コネクタ後方」に向かって延出するようにして媒体挿入通路１１ｂが形成されている（図５を参照のこと）。この差込口１１ａから「コネクタ後方」に向かって延びる中空状の媒体挿入通路１１ｂは、ハウジング１１の上方内壁面及び下方内壁面（底壁面）との間部分に形成されており、このハウジング１１の上方内壁面及び下方内壁面（底壁面）が、信号伝送媒体（ＦＰＣ又はＦＦＣ等）ＰＳの挿入を案内する上下のガイド面を構成している。
【００３３】
また、上述したハウジング１１の差込口１１ａを構成している「コネクタ長手方向」の両側壁部には、当該差込口１１ａから挿入される信号伝送媒体（ＦＰＣ又はＦＦＣ等）ＰＳの「幅方向」の両端縁部に対するガイド面１１ｃ，１１ｃが設けられている。これらのガイド面１１ｃ，１１ｃは、上述した差込口１１ａを構成している「コネクタ長手方向」の両側壁部から「コネクタ前方」（図２の下方）に向かって開放される方向に延在する傾斜面から構成されている（図１〜図３及び図５を参照のこと）。
【００３４】
一方、上述した媒体挿入通路１１ｂの壁面を構成しているハウジング１１の上方内壁面及び下方内壁面（底壁面）には、「コネクタ長手方向」に沿って複数体のコンタクト収容部１１ｄ，１１ｄ，・・・が、「コネクタ長手方向」に予め定められた間隔で並列された状態で凹設されている。それらの各コンタクト収容部１１ｄは、上述したガイド面を構成している上方内壁面及び下方内壁面（底壁面）から凹溝状に窪む状態で形成されており、それら凹溝状をなす各コンタクト収容部１１ｄが、「コネクタ前後方向」に沿って延在するように設けられている（図１、図２及び図５を参照のこと）。
【００３５】
そして、それらの各コンタクト収容部１１ｄを構成している凹溝状の内部に、適宜の形状をなす薄い厚さを有する金属製の板状部材により形成された導電性のコンタクト部材（導電端子）１３の一部、より具体的には、特に図６及び図７に示されているコンタクト部材（導電端子）１３の一部を構成する第１ビーム（下ビーム）１３ａ及び第２ビーム（上ビーム）１３ｂの一部が、「コネクタ前後方向」に延在する状態で装着されている。
【００３６】
各コンタクト収容部１１ｄの内部に装着されたコンタクト部材（導電端子）１３は、「コネクタ長手方向」に沿って、予め定められた一定の間隔をなして複数体にわたって配列されている。それらの各コンタクト部材１３は、信号伝送用又はグランド接続用のいずれかとして使用される構成になされており、当該コンタクト部材の後端部分が、図示を省略した配線基板の主面上に形成された導電路（電極パターン）に対して半田接合されることによって実装状態になされる。各コンタクト部材１３の詳細な構造については、後段において詳細に説明する。
【００３７】
前述したようにハウジング１１における「コネクタ後方」寄りの後端部分（図５の右端部分）には、接続操作手段としてのアクチュエータ１２が取り付けられているが、当該アクチュエータ１２は、図１〜図５に示されているように、上方に位置するように立ち上がった状態を初期の「待機位置」としている。そして、そのように立ち上がった「待機位置」にアクチュエータ１２が回動された初期状態において、ハウジング１１の前端部分に設けられた差込口１１ａから、信号伝送媒体（ＦＰＣ又はＦＦＣ等）ＰＳの端末部分が、上述した媒体挿入通路１１ｂの内部に向かって差し込まれるようにして挿入される。この点は、図８〜図１０に示されているが、詳細に関しては後段において説明する。
【００３８】
信号伝送媒体（ＦＰＣ又はＦＦＣ等）ＰＳの挿入は、上述した上下のガイド面を構成している媒体挿入通路１１ｂの下側壁面（底壁面）及び上側壁面、又は後述するコンタクト部材１３に設けられた接触部に沿って信号伝送媒体（ＦＰＣ又はＦＦＣ等）ＰＳが「コネクタ後方」に滑動することにより行われる。また、信号伝送媒体（ＦＰＣ又はＦＦＣ等）ＰＳが抜去されるにあたっても、同様に、媒体挿入通路１１ｂの下側壁面（底壁面）及び上側壁面、又は後述するコンタクト部材１３に設けられた接触部に沿って信号伝送媒体（ＦＰＣ又はＦＦＣ等）ＰＳが「コネクタ前方」に滑動しながら移動が行われる。
【００３９】
さらに、上述したハウジング１１の後端縁部分（図５の右端縁部分）には、アクチュエータ１２やコンタクト部材１３等をハウジング１１の内部に装着するための部品装着口が設けられている。そのコネクタ後端側の部品装着口を通してハウジング１１の内部に装着される各コンタクト部材１３は、媒体挿入通路１１ｂに設けられたコンタクト収容部１１ｄを「コネクタ前方側」に向かって滑動するようにして挿入されていき、予め決められた位置で固定状態になされる。
【００４０】
これらのコンタクト部材（導電端子）１３は、前述したように「コネクタ長手方向」において予め定められた一定の間隔をなして複数体にわたって装着されているが、当該各コンタクト部材（導電端子）１３は、媒体挿入通路１１ｂの内部に挿入された信号伝送媒体（ＦＰＣ又はＦＦＣ等）ＰＳの導電路に対応した位置にそれぞれ配置される。
【００４１】
［コンタクト部材について］
次に、図５〜図７に示すように、前述したコンタクト部材（導電端子）１３の各々は、一対の細長状の金属製の板状部材からなる第１ビーム（下ビーム）１３ａ及び第２ビーム（上ビーム）１３ｂをそれぞれ有している。これらの第１ビーム（下ビーム）１３ａ及び第２ビーム（上ビーム）１３ｂは、上述したようにハウジング１１の各コンタクト収容部１１ｄの内部に収容されていることにより、信号伝送媒体（ＦＰＣ又はＦＦＣ等）ＰＳの挿入・抜去の方向（図５の左右方向）である「コネクタ前後方向」に沿って略平行に延在しており、媒体挿入通路１１ｂを挟んで「上下方向」に適宜の間隔をなして互いに対向した状態に配置されている。
【００４２】
上述した第１ビーム（下ビーム）１３ａと第２ビーム（上ビーム）１３ｂとは、延在方向（水平方向）における途中位置で、細幅の金属製の板状部材からなる連結ビーム１３ｃを介して一体的に連結されている。そして、その連結ビーム１３ｃ並びに第１及び第２の両ビーム１３ａ，１３ｂが有する弾性可撓性により、当該第１及び第２の両ビーム１３ａ，１３ｂが、連結ビーム１３ｃを介して揺動するように弾性変位する構成になされている。この第１ビーム（下ビーム）１３ａ及び第２ビーム（上ビーム）１３ｂの揺動は、図５の紙面内において上下の方向に行われるが、弾性変位に関する詳細な説明については後述することとする。
【００４３】
［第２接触部（上接触部）について］
上述したように、第２ビーム（上ビーム）１３ｂは、ハウジング１１の上方内壁面に設けられたコンタクト収容部１１ｄに沿って「コネクタ前後方向」に延在しているが、当該第２ビーム（上ビーム）１３ｂの前端部分（図５の左端部分）には、信号伝送媒体（ＦＰＣ又はＦＦＣ等）ＰＳの図示上面に形成された上導電路に当接する第２接触部（上接触部）１３ｂ１が、図示下向きの突形状をなすように設けられている。
【００４４】
この第２接触部（上接触部）１３ｂ１は、第２ビーム（上ビーム）１３ｂが備えている弾性に伴って変位する構成になされているが、後述するカム部材１２ａの作用によって第２ビーム（上ビーム）１３ｂとともに弾性変位する接点（以下、単に「弾性接点」という。）が、当該第２接触部（上接触部）１３ｂ１における下方の頂点部分に設けられている。このような弾性接点を有する第２接触部（上接触部）１３ｂ１は、信号伝送媒体（ＦＰＣ又はＦＦＣ等）ＰＳの挿入方向である「媒体挿入方向」において単独の状態で配置された構成、すなわち、当該第２ビーム（上ビーム）１３ｂに、弾性接点を有する第２接触部（上接触部）１３ｂ１が一体のみ設けられた構成になされている。
【００４５】
なお、上述したように第２接触部（上接触部）１３ｂ１に設けられた弾性接点は、単一又は複数の微小突起からなる接点を、一箇所以上にわたって備えた構成とすることが可能である。
【００４６】
このようにコンタクト部材（導電端子）１３の第２ビーム（上ビーム）１３ｂに設けられた第２接触部（上接触部）１３ｂ１の弾性接点は、アクチュエータ１２が「待機位置」にある初期状態（図１〜図５参照）において、上方のコンタクト収容部１１ｄから媒体挿入通路１１ｂに向かって僅かに突出する状態に配置されている。従って、信号伝送媒体（ＦＰＣ又はＦＦＣ等）ＰＳが媒体挿入通路１１ｂの内部に挿入されるにあたっては、当該第２接触部（上接触部）１３ｂ１の弾性接点に対して、信号伝送媒体（ＦＰＣ又はＦＦＣ等）ＰＳの上表面に設けられた上導電路（図示省略）に対して、僅かに接触した状態で移動が行われるようになっている。
【００４７】
より詳細には、上述した第２接触部（上接触部）１３ｂ１に設けられた弾性接点は、媒体挿入通路１１ｂ内に挿入された信号伝送媒体（ＦＰＣ又はＦＦＣ等）ＰＳの上導電路（図示省略）に向かって、鋭利な尖塔状（シャープエッジ）をなして突出する構成になされており、当該第２接触部（上接触部）１３ｂ１が、信号伝送媒体（ＦＰＣ又はＦＦＣ等）ＰＳの上導電路に対して食い込み状態となることによって、特に、高温時における電気的な接続性が良好に得られるようになっている。
【００４８】
［第１接触部（下接触部）について］
一方、第１ビーム（下ビーム）１３ａは、ハウジング１１の下方内壁面に設けられたコンタクト収容部１１ｄに沿って「コネクタ前後方向」に延在しているが、当該第１ビーム（下ビーム）１３ａの前端部分（図５の左端部分）には、信号伝送媒体（ＦＰＣ又はＦＦＣ等）ＰＳの図示下面に形成された下導電路に当接する第１接触部（下接触部）１３ａ１が、図示上向きの一対の突形状をなすように設けられている。より詳細には、当該第１接触部（下接触部）１３ａ１は、信号伝送媒体（ＦＰＣ又はＦＦＣ等）ＰＳの挿入方向である「媒体挿入方向」における手前の前方位置及び奥の後方位置に配置された第１前方接触部１３ａ１１及び第１後方接触部１３ａ１２から構成されている。
【００４９】
そのうち「媒体挿入方向」における手前の前方位置に配置された第１前方接触部１３ａ１１は、第１ビーム（下ビーム）１３ａの「媒体挿入方向」における手前である前端部分に設けられている。この第１前方接触部１３ａ１１は、当該第１前方接触部１３ａ１１が設けられている第１ビーム（下ビーム）１３ａが、前述したようにコンタクト収容部１１ｄの底面に当接して固定された状態で配置されていることから、基本的に固定された状態に保持されており、後述するカム部材１２ａの作用に対して略不動の固定状態、より具体的には、上述した第２接触部（上接触部）１３ｂ１及び後述の第１後方接触部１３ａ１２よりも弾性変位が小さい構成を備えている。そして、この第１前方接触部１３ａ１１の上方頂点部分に固定接点が設けられている。
【００５０】
なお、上述したように第１前方接触部１３ａ１１に設けられた固定接点は、単一又は複数の微小突起からなる接点を、一箇所以上にわたって備えた構成とすることが可能である。
【００５１】
このようにコンタクト部材（導電端子）１３の第１ビーム（下ビーム）１３ａに弾性変位が小さい状態で設けられた第１接触部（下接触部）１３ａ１には、固定接点を有する第１前方接触部１３ａ１１が設けられているが、当該第１前方接触部１３ａ１１は、アクチュエータ１２が「待機位置」にある初期状態（図１〜図５参照）において、下方のコンタクト収容部１１ｄから媒体挿入通路１１ｂに向かって僅かに突出する状態に配置されている。従って、信号伝送媒体（ＦＰＣ又はＦＦＣ等）ＰＳが媒体挿入通路１１ｂの内部に挿入されるにあたっては、弾性変位が小さい第１接触部（下接触部）１３ａ１の固定接点に対して、信号伝送媒体（ＦＰＣ又はＦＦＣ等）ＰＳの下表面が、僅かに接触した状態で移動が行われるようになっている。
【００５２】
より詳細には、上述した第１接触部（下接触部）１３ａ１における弾性変位が小さい第１前方接触部１３ａ１１に設けられた固定接点は、媒体挿入通路１１ｂ内に挿入された信号伝送媒体（ＦＰＣ又はＦＦＣ等）ＰＳの下表面に設けられた下導電路（図示省略）に向かって、鋭利な尖塔状（シャープエッジ）をなして突出する構成になされている。これによって、信号伝送媒体（ＦＰＣ又はＦＦＣ等）ＰＳの下導電路に対して、第１接触部（下接触部）１３ａ１の第１前方接触部１３ａ１１が食い込み状態となり、特に、高温時における電気的な接続性が良好に得られるようになっている。
【００５３】
また、第１前方接触部１３ａ１１に設けられた固定接点が、鋭利な尖塔状（シャープエッジ）をなして突出していることによって、信号伝送媒体（ＦＰＣ又はＦＦＣ等）ＰＳの下導電路に対する第１前方接触部１３ａ１１の摺擦作用が強化され、いわゆるワイピングによる清掃作用が良好に得られるようになっている。
【００５４】
［第１後方接触部について］
このような固定接点を備えた第１前方接触部１３ａ１１に対して、信号伝送媒体（ＦＰＣ又はＦＦＣ等）ＰＳの挿入方向における奥位置である後方位置に設けられた第１後方接触部１３ａ１２は、上述した第１ビーム（下ビーム）１３ａを二股状に分岐した状態に形成された第１（下）サブビーム１３ａ１３に設けられている。その第１（下）サブビーム１３ａ１３は、連結ビーム１３ｃの根元部分（下端部分）から、信号伝送媒体（ＦＰＣ又はＦＦＣ等）ＰＳの抜去方向（図５の左方向）に向かって片持ち状に延出する構成を備えており、当該第１（下）サブビーム１３ａ１３の延出端部分に、上述した第１後方接触部１３ａ１２が、上方に突出するように設けられている。
【００５５】
上述した第１後方接触部１３ａ１２は、第１（下）サブビーム１３ａ１３が有する弾性に従って変位する構成になされており、後述するカム部材１２ａの作用によって第１ビーム（下ビーム）１３ａとともに弾性変位する接点が、当該第１後方接触部１３ａ１２の上方頂点部分に設けられている。
【００５６】
このようにコンタクト部材（導電端子）１３の第１ビーム（下ビーム）１３ａに弾性変位可能に設けられた第１接触部（下接触部）１３ａ１は、接点を有する第１後方接触部１３ａ１２を備えており、当該弾性変位可能な第１後方接触部１３ａ１２の接点は、アクチュエータ１２が「待機位置」にある初期状態（図１〜図５参照）において、下方のコンタクト収容部１１ｄから媒体挿入通路１１ｂに向かって僅かに突出する状態に配置されている。従って、信号伝送媒体（ＦＰＣ又はＦＦＣ等）ＰＳが媒体挿入通路１１ｂの内部に挿入されるにあたっては、弾性変位可能な第１後方接触部１３ａ１２の接点に対して、信号伝送媒体（ＦＰＣ又はＦＦＣ等）ＰＳの下表面が、僅かに接触した状態で移動が行われるようになっている。
【００５７】
より詳細には、媒体挿入通路１１ｂ内に挿入された信号伝送媒体（ＦＰＣ又はＦＦＣ等）ＰＳの下表面に設けられた下導電路（図示省略）に向かって、上述した第１接触部（下接触部）１３ａ１の弾性変位可能な第１後方接触部１３ａ１２に設けられた接点が、鋭利な尖塔状（シャープエッジ）をなして突出する構成になされている。これにより、信号伝送媒体（ＦＰＣ又はＦＦＣ等）ＰＳの下導電路に対して第１接触部（下接触部）１３ａ１の第１後方接触部１３ａ１２が食い込み状態となり、特に、高温時における電気的な接続性が良好に得られるようになっている。
【００５８】
このとき、上述した第１後方接触部１３ａ１２に設けられた接点は、単一又は複数の微小突起からなる接点を、一箇所以上にわたって備えた構成とすることが可能である。
【００５９】
ここで、前述した第２ビーム（上ビーム）１３ｂに設けられた第２接触部（上接触部）１３ｂ１は、信号伝送媒体（ＦＰＣ又はＦＦＣ等）ＰＳの挿入方向である「媒体挿入方向」において、第１ビーム（下ビーム）１３ａの第１接触部（下接触部）１３ａ１を構成している第１前方接触部１３ａ１１と第１後方接触部１３ａ１２との間部分に配置されている。そして、そのような位置関係に３体の接触部１３ｂ１、１３ａ１１、１３ａ１２が配置されていることによって、信号伝送媒体（ＦＰＣ又はＦＦＣ等）ＰＳに対する第２接触部（上接触部）１３ｂ１の接触圧が、第１接触部（下接触部）１３ａ１を構成している第１前方接触部１３ａ１１と第１後方接触部１３ａ１２との双方にバランス良く伝達され、その結果、第２接触部（上接触部）１３ｂ１と、第１接触部（下接触部）１３ａ１の第１前方接触部１３ａ１１及び第１後方接触部１３ａ１２とにより、信号伝送媒体（ＦＰＣ又はＦＦＣ等）ＰＳが良好な挟持状態に維持されるようになっている。
【００６０】
また、第１接触部（下接触部）１３ａ１の弾性変位が小さい固定接点を構成している第１前方接触部１３ａ１１に対して、弾性変位する接点を構成している第１後方接触部１３ａ１２は、やや上方位置に配置されており、第１後方接触部１３ａ１２が、媒体挿入通路１１ｂの上方位置に配置された第２接触部（上接触部）１３ｂ１に対して、より近接した状態で配置されている。このように、第１後方接触部１３ａ１２が、より上方に配置された構成により、第１ビーム（下ビーム）１３ａに弾性変位可能に設けられた第１後方接触部１３ａ１２が、信号伝送媒体（ＦＰＣ又はＦＦＣ等）ＰＳに対して、より確実な接触状態となり、信号伝送媒体（ＦＰＣ又はＦＦＣ等）ＰＳの変位に対する接触追従性、すなわち煽り等に基づく信号伝送媒体（ＦＰＣ又はＦＦＣ等）ＰＳの変位に対してコンタクト部材１３が追従するように変位して良好な接触状態を維持する機能が高められるようになっている。
【００６１】
前述したように信号伝送媒体（ＦＰＣ又はＦＦＣ等）ＰＳの端末部分を、電気コネクタ１０に挿入するにあたっては、まず図８に示されているように、ハウジング１１の差込口１１ａに対して信号伝送媒体（ＦＰＣ又はＦＦＣ等）ＰＳの端末部分をあてがった状態から、図９に示されているように、当該信号伝送媒体（ＦＰＣ又はＦＦＣ等）ＰＳの導電路をコンタクト部材（導電端子）１３の各接点に軽く接触させながら、図１０に示されているように、媒体挿入通路１１ｂの内部に信号伝送媒体（ＦＰＣ又はＦＦＣ等）ＰＳを挿入する。
【００６２】
その後、アクチュエータ（接続操作手段）１２が「待機位置」から「作用位置」に回動操作され（図１１及び図１２参照）、それによってコンタクト部材（導電端子）１３の第１ビーム（下ビーム）１３ａ及び第２ビーム（上ビーム）１３ｂに設けられた第２接触部（上接触部）１３ｂ１と、第１接触部（下接触部）１３ａ１を構成している第１前方接触部１３ａ１１及び第１後方接触部１３ａ１２とが、信号伝送媒体（ＦＰＣ又はＦＦＣ等）ＰＳの上下の両表面に対して両側から挟むように圧接した状態になされ、当該信号伝送媒体（ＦＰＣ又はＦＦＣ等）ＰＳの挟持が行われる。この点については、アクチュエータ（接続操作手段）１２及びカム部材１２ａの構成とともに後段において詳細に説明する。
【００６３】
［基板接続部について］
一方、上述した第１ビーム（下ビーム）１３ａの後端部分（図３の右端部分）には、図示しない配線基板上に形成された配線ランド部（導電路）に半田接続される基板接続部１３ａ２が設けられている。この基板接続部１３ａ２は、配線基板上の配線ランド部（導電路）に対して上方から位置合わせされた状態で載置され、例えば、半田材を用いた一括的な接合作業によって電気的な接続が行われる。
【００６４】
このように第１ビーム（下ビーム）１３ａにおける後方部分が基板接続部１３ａ２を介して固定状態になされていることにより、当該第１ビーム（下ビーム）１３ａの前方部分における弾性が確保されることとなり、信号伝送媒体（ＦＰＣ又はＦＦＣ等）ＰＳに対する第２接触部（上接触部）１３ｂ１、及び第１接触部（下接触部）１３ａ１の接触追従性、つまり信号伝送媒体（ＦＰＣ又はＦＦＣ等）ＰＳの変位に対してコンタクト部材１３が追従しつつ変位して良好な接触状態を維持する機能が更に高められるようになっている。
【００６５】
［カム受け部について］
ここで、上述した第２ビーム（上ビーム）１３ｂの後端部分（図５の右端部分）における下縁には、比較的平坦状をなして延在するカム作用部１３ｂ２が設けられているとともに、そのカム作用部１３ｂ２に対して下方から対向する第１ビーム（下ビーム）１３ａの後端部分には、凹形状の上端縁をなすように形成されたカム受け部１３ａ３が設けられている。そして、これら第１ビーム（下ビーム）１３ａのカム受け部１３ａ３及び第２ビーム（上ビーム）１３ｂのカム作用部１３ｂ２に対して、上述したアクチュエータ（接続操作手段）１２に設けられた回動カム１２ａが滑動可能な接触状態に配置されていることによって、当該アクチュエータ１２の全体が、回動カム１２ａとともに一体的に回動される構成になされている。
【００６６】
上述した回動カム１２ａの外周面はカム面になされており、アクチュエータ１２が「待機位置」にあるとき、当該回動カム１２ａの外周に曲面状に形成されたカム面が、第２ビーム（上ビーム）１３ｂのカム作用部１３ｂ２に対して下方から当接し、それによって第２ビーム（上ビーム）１３ｂの後端部分（図３の右端部分）が上方に持ち上げられるとともに、第２ビーム（上ビーム）１３ｂの前端部分（図３の左端部分）が下方に向かって弾性変位されるようになっている。
【００６７】
［アクチュエータについて］
また、前述したアクチュエータ（接続操作手段）１２の全体は、「コネクタ長手方向」に沿って細長状に延在するように形成されていて、ハウジング１１の全幅とほぼ同じ長さに渡って配置されている。当該アクチュエータ１２は、上述したように回動カム１２ａと一体的に回動される状態に取り付けられており、回動半径における外方の部分（図５の上方部分）が、「コネクタ長手方向」に細長状に延在する板状部材からなる操作本体部１２ｂになされている。そして、その操作本体部１２ｂに対して回動方向の操作力が付与されることによって、アクチュエータ１２の全体が、図１〜図５のようにほぼ直立した初期状態である「待機位置」と、図１１及び図１２のようにコネクタ後方に向かってほぼ水平に倒された状態の「作用位置」との間において往復回動される構成になされている。
【００６８】
このアクチュエータ（接続操作手段）１２の操作本体部１２ｂが回動カム１２ａと連結されている部分には、コンタクト部材（導電端子）１３の第２ビーム（上ビーム）１３ｂとの干渉を回避するための複数のスリット穴１２ｃが、「コネクタ長手方向」に一定の間隔をなして並列する櫛歯状をなすように形成されている。それらのスリット穴１２ｃは、各コンタクト部材（導電端子）１３に対応した位置に配置されており、「待機位置」にあるアクチュエータ１２の操作本体部１２ｂを「コネクタ前後方向」に貫通するように形成されている。
【００６９】
そして、アクチュエータ（接続操作手段）１２の操作本体部１２ｂが、「待機位置」（図１〜図５参照）から「作用位置」（図１１及び図１２参照）に向かって押し倒されるようにして回動操作が行われると、上述したコンタクト部材（導電端子）１３の第１ビーム（下ビーム）１３ａと第２ビーム（上ビーム）１３ｂとの間において回動カム１２ａが回動し、それによって第２ビーム（上ビーム）１３ｂの後端部分に設けられたカム作用部１３ｂ２が、カム面により上方に持ち上げられるように弾性変位する。それに伴って、当該第２ビーム（上ビーム）１３ｂのカム作用部１３ｂ２と反対側（コネクタ前端側）に設けられた第２接触部（上接触部）１３ｂ１が下方に向かって押し下げられていき、既に挿入されている信号伝送媒体（ＦＰＣ又はＦＦＣ等）ＰＳの上導電路に対して軽接触した状態から圧接した状態に移行する。
【００７０】
なお、ハウジング１１の媒体挿入通路１１ｂ内に挿入された信号伝送媒体（ＦＰＣ又はＦＦＣ等）ＰＳに対しては、ハウジング１１の長手方向の両端部分に設けられた保持金具（ロック部材）１４,１４が係合状態となり、信号伝送媒体（ＦＰＣ又はＦＦＣ等）ＰＳが脱落することなく保持されるようになっている。
【００７１】
一方、上述したように第２ビーム（上ビーム）１３ｂの第２接触部（上接触部）１３ｂ１が信号伝送媒体（ＦＰＣ又はＦＦＣ等）ＰＳの上導電路に当接した状態から、更にアクチュエータ（接続操作手段）１２の操作本体部１２ｂが同方向に回動されると、前述した第２ビーム（上ビーム）１３ｂの弾性変位と共に、第１ビーム（下ビーム）１３ａにおけるカム受け部１３ａ３より前方の部分が、上方へ反り上がるように変形応力が付与されることとなる。その結果、第１ビーム（下ビーム）１３ａの第１接触部（下接触部）１３ａ１を構成している第１前方接触部１３ａ１１及び第１後方接触部１３ａ１２が、上方へ反るようにして変位した応力状態となる。
【００７２】
これによって、第１ビーム（下ビーム）１３ａの第１接触部（下接触部）１３ａ１を構成している第１前方接触部１３ａ１１及び第１後方接触部１３ａ１２が、挿入状態にある信号伝送媒体（ＦＰＣ又はＦＦＣ等）ＰＳの下導電路に軽接触した状態から圧接した状態に移行する。このようにして、第１ビーム（下ビーム）１３ａの第１接触部（下接触部）１３ａ１を構成している第１前方接触部１３ａ１１及び第１後方接触部１３ａ１２と、第２ビーム（上ビーム）１３ｂの第２接触部（上接触部）１３ｂ１とで、信号伝送媒体（ＦＰＣ又はＦＦＣ等）ＰＳが上下に挟持された状態となり、その結果、電気的な接続が行われる。
【００７３】
以上のような構成を有する本実施形態においては、第２ビーム（上ビーム）１３ｂに弾性変位可能に設けられた第２接触部（上接触部）１３ｂ１が、信号伝送媒体（ＦＰＣ又はＦＦＣ等）ＰＳの挿入方向に単独の状態で１箇所のみに配置されていることから、複数の接触部を有する従来の構成に対して、コンタクト部材１３の構成が簡素化されることとなり、電気コネクタ１０の低背化が図られる。
【００７４】
また、第２ビーム（上ビーム）１３ｂを介して第２接触部（上接触部）１３ｂ１に付与される接触圧が、単独の第２接触部（上接触部）１３ｂ１に集中することとなることから、信号伝送媒体（ＦＰＣ又はＦＦＣ等）ＰＳに対する接触圧が高められる。
【００７５】
さらに、第１ビーム（下ビーム）１３ａの第１接触部（下接触部）１３ａ１を構成している第１前方接触部１３ａ１１が、第1後方接触部１３ａ１２、及び第２接触部１３ｂ１よりもカム作用部１３ｂ２の作用に対する変位が小さい略不動の固定状態に維持される構成になされていることからも、信号伝送媒体（ＦＰＣ又はＦＦＣ等）ＰＳに対する接触圧が高められるとともに、信号伝送媒体（ＦＰＣ又はＦＦＣ等）ＰＳの導電路に対する、いわゆるワイピングによる清掃作用が、第１ビーム（下ビーム）１３ａの第１接触部（下接触部）１３ａ１を構成している第１前方接触部１３ａ１１により得られる。
【００７６】
加えて、第１接触部（下接触部）１３ａ１を構成している第１後方接触部１３ａ１２が、弾性変位する構成を備えていることから、例えば、図１２に示されているように、信号伝送媒体（ＦＰＣ又はＦＦＣ等）ＰＳが、いわゆる煽りによって上方に持ち上げられた状態になされた際においても、その信号伝送媒体（ＦＰＣ又はＦＦＣ等）ＰＳの変位に対してコンタクト部材１３が追従しつつ変位して良好な接触状態を維持するというコンタクト部材１３の接触追従性が良好に維持されるようになっている。
【００７７】
以上、本発明を実施形態に基づき具体的に説明したが、本実施形態は上述した実施形態に限定されるものではなく、その要旨を逸脱しない範囲で種々変形可能であるというのはいうまでもない。
【００７８】
例えば、上述した実施形態は、信号伝送媒体としてフレキシブル・プリンテッド・サーキット（ＦＰＣ）やフレキシブル・フラット・ケーブル（ＦＦＣ）等を採用したものであるが、本発明は、その他の信号伝送媒体に対しても同様に適用することができるものである。
【００７９】
また、上述した実施形態は、水平嵌合型のプラグコネクタに対して本発明を適用したものであるが、垂直嵌合型のプラグコネクタに対しても同様に適用することができる。
【産業上の利用可能性】
【００８０】
以上のように本実施形態は、各種電気機器に使用される多種多様な電気コネクタに対して広く適用することが可能である
【符号の説明】
【００８１】
ＰＳ  信号伝送媒体（ＦＰＣ又はＦＦＣ等）
１０  電気コネクタ
１１  ハウジング
１１ａ  差込口
１１ｂ  媒体挿入通路
１１ｃ  端部ガイド面
１１ｄ  コンタクト収容部
１２  アクチュエータ（接続操作手段）
１２ａ  回動カム
１２ｂ  操作本体部
１２ｃ  スリット穴
１３  コンタクト部材（導電端子）
１３ａ  第１ビーム（下ビーム）
１３ａ１  第１接触部（下接触部）
１３ａ１１  第１前方接触部
１３ａ１２  第１後方接触部
１３ａ１３  第１（下）サブビーム
１３ａ２  基板接続部
１３ａ３  カム受け部
１３ｂ  第２ビーム（上ビーム）
１３ｂ１  第２接触部（上接触部）
１３ｂ２  カム作用部
１３ｃ  連結ビーム
１４    保持金具
【図１】
2019197629.tif 000003
【図２】
2019197629.tif 000004
【図３】
2019197629.tif 000005
【図４】
2019197629.tif 000006
【図５】
2019197629.tif 000007
【図６】
2019197629.tif 000008
【図７】
2019197629.tif 000009
【図８】
2019197629.tif 000010
【図９】
2019197629.tif 000011
【図１０】
2019197629.tif 000012
【図１１】
2019197629.tif 000013
【図１２】
2019197629.tif 000014